(57)【要約】【課題】発信ボタンに指紋認証機能を付加し、発信時の発信ボタンの押下により指紋認証と発信を行うことができるようにした電話装置の提供。【解決手段】外部パスＬ１に接続された電話主装置１１と、電話主装置１１に接続された電話機Ｔ１とを有し、電話機Ｔ１は発信ボタン１２を有し、発信ボタン１２を押下した後のダイヤル１３の押下により外部パスへの発信が電話主装置１１を介して行われるものである電話装置において、発信ボタン１２は、それを押下した指の指紋データを検出指紋データとして検出する指紋センサ部１４としての機能を有し、電話主装置１１は、検出指紋データを予め登録された登録指紋データに比較し、一致する場合には、通話路スイッチ部２０に、電話機Ｔ１と外部パスＬ１とを接続させ、電話機Ｔ１のダイヤル１３の押下による外部パスＬ１への発信を通話路スイッチ部２０を介して行うことを特徴とする電話装置。【選択図】        図１
2004328144.tif 000002
【特許請求の範囲】
【請求項１】
発信ボタンを有し、該発信ボタンを押下した後のダイヤルの押下により発信が行われる電話機において、
前記発信ボタンは、該発信ボタンを押下した指の指紋データを検出指紋データとして検出する指紋センサ部としての機能を有し、該検出指紋データが予め登録された登録指紋データに一致する場合には、前記ダイヤルが押下されれば前記発信が行われるが、前記検出指紋データが前記登録指紋データに一致しない場合には、前記ダイヤルが押下されても前記発信が行われないように構成されたことを特徴とする電話機。
【請求項２】
請求項１に記載の電話機において、
前記検出指紋データが前記登録指紋データに一致しない場合には、エラー表示を行うことを特徴とする電話機。
【請求項３】
請求項２に記載の電話機において、
前記エラー表示は、エラーを可視表示または可聴表示により行うことを特徴とする電話機。
【請求項４】
外部パスに接続された電話主装置と、該電話主装置に接続された電話機とを有し、前記電話機は、発信ボタンを有し、該発信ボタンを押下した後のダイヤルの押下により前記外部パスへの発信が前記電話主装置を介して行われるものである電話装置において、
前記電話機の前記発信ボタンは、該発信ボタンを押下した指の指紋データを検出指紋データとして検出する指紋センサ部としての機能を有し、
前記電話主装置は、予め登録された登録指紋データを記憶する記憶部と、前記検出指紋データを前記登録指紋データに比較する制御部と、前記電話機と前記外部パスとに接続されたスイッチ部とを有し、前記制御部は、前記検出指紋データが前記登録指紋データに一致する場合には、前記スイッチ部に、前記電話機と前記外部パスとを接続させ、前記電話機の前記ダイヤルの押下による前記外部パスへの発信を前記スイッチ部を介して行うことを特徴とする電話装置。
【請求項５】
請求項４に記載の電話装置において、
前記制御部は、前記検出指紋データが前記登録指紋データに一致しない場合には、前記電話機にエラー表示を行わせることを特徴とする電話装置。
【請求項６】
請求項５に記載の電話装置において、
前記電話機に、エラー表示として、エラーを可視表示または可聴表示させることを特徴とする電話装置。
【請求項７】
外部パスに接続された電話主装置と、該電話主装置に接続された電話機とを有し、前記電話機は、発信ボタンを有し、該発信ボタンを押下した後のダイヤルの押下により前記外部パスへの発信が前記電話主装置を介して行われるものである電話装置において、
前記電話機の前記発信ボタンは、該発信ボタンを押下した指の指紋データを検出指紋データとして検出する指紋センサ部としての機能を有し、
前記電話主装置は、予め登録された登録指紋データと予め登録された発信規制ダイヤルを記憶する記憶部と、前記検出指紋データを前記登録指紋データに比較する制御部と、前記電話機と前記外部パスとに接続されたスイッチ部とを有し、前記制御部は、前記検出指紋データが前記登録指紋データに一致する場合で、しかも、押下された前記ダイヤルが前記発信規制ダイヤルに一致しない場合に、前記スイッチ部に、前記電話機と前記外部パスとを接続させ、前記電話機の前記ダイヤルの押下による前記外部パスへの発信を前記スイッチ部を介して行うことを特徴とする電話装置。
【請求項８】
請求項７に記載の電話装置において、
前記制御部は、前記検出指紋データが前記登録指紋データに一致しない場合、及び、前記検出指紋データが前記登録指紋データに一致しても、押下された前記ダイヤルが前記発信規制ダイヤルに一致した場合には、いずれも、前記電話機にエラー表示を行わせることを特徴とする電話装置。
【請求項９】
請求項８に記載の電話装置において、
前記電話機に、エラー表示として、エラーを可視表示または可聴表示させることを特徴とする電話装置。
【発明の詳細な説明】
【０００１】
【発明の属する技術分野】
本発明は、指紋認証電話機及び指紋認証電話装置に関する。
【０００２】
【従来の技術】
事務所などに設置されているボタン電話装置は個人で占有して１台の電話機を使用したり、複数人で１台の電話機を共有する使用方法がある。どちらの使用方法でも他人に不正使用をさせないようにする既存技術がある。
【０００３】
個人で占有して使用する場合、他の人に使用されないようにパスワードを入力しないと外への発信をできなくしたり、個人毎に発信できる番号を予め規制するなどがある。
【０００４】
また、複数人で使用する場合は各人でＩＤ  Ｎｏ．を持ち、そのＩＤ毎に発信を規制したり通話記録を残すことができる。ただ電話機の不正使用を防止する機能が使い勝手を悪くしている場合がある。
【０００５】
たとえば会議室にある電話機は複数人で使用することを前提に設置しているため発信できる番号をある程度、規制している。その場合に緊急で規制されている番号に発信したくてもできない。
【０００６】
また、いちいちパスワードやＩＤをダイヤルしてからでないと発信できないなど利便性に欠けている。
【０００７】
また、従来、指紋認証機能付きの携帯端末（特許文献１参照）や指紋認証式携帯電話（特許文献２参照）も提案されている。
【０００８】
【特許文献１】
特開２００２−２７９４１２号公報。
【０００９】
【特許文献２】
特開２００２−３４０７５号公報。
【００１０】
【発明が解決しようとする課題】
上記特許文献１及び上記特許文献２に開示された指紋認証電話機は、いずれも、指紋データを検出する指紋センサ部を、電話機に本来備わっている種々のボタンとは別に設けているので、スペース的にも効率が悪く、操作性も悪い。
【００１１】
本発明の課題は、発信ボタンに指紋認証機能を付加し、発信時の発信ボタンの押下により指紋認証と発信を行うことができるようにした、スペース効率及び操作性が良い電話機を提供することにある。
【００１２】
本発明の別の課題は、発信ボタンに指紋認証機能を付加し、発信時の発信ボタンの押下により指紋認証と発信を行うことができるようにした、スペース効率及び操作性が良い電話装置を提供することにある。
【００１３】
本発明の他の課題は、電話機の発信ボタンに指紋認証機能を付加することにより、どこに置いてある電話機でもパスワード、ＩＤをダイヤルすることなく、使用者毎の発信規制をすることができるようにすることにある。
【００１４】
【課題を解決するための手段】
本発明による電話機及び本発明による電話装置は、以下のとおりである。
【００１５】
（１）  発信ボタンを有し、該発信ボタンを押下した後のダイヤルの押下により発信が行われる電話機において、
前記発信ボタンは、該発信ボタンを押下した指の指紋データを検出指紋データとして検出する指紋センサ部としての機能を有し、該検出指紋データが予め登録された登録指紋データに一致する場合には、前記ダイヤルが押下されれば前記発信が行われるが、前記検出指紋データが前記登録指紋データに一致しない場合には、前記ダイヤルが押下されても前記発信が行われないように構成されたことを特徴とする電話機。
【００１６】
（２）  上記（１）項に記載の電話機において、
前記検出指紋データが前記登録指紋データに一致しない場合には、エラー表示を行うことを特徴とする電話機。
【００１７】
（３）  上記（２）項に記載の電話機において、
前記エラー表示は、エラーを可視表示または可聴表示により行うことを特徴とする電話機。
【００１８】
（４）  外部パスに接続された電話主装置と、該電話主装置に接続された電話機とを有し、前記電話機は、発信ボタンを有し、該発信ボタンを押下した後のダイヤルの押下により前記外部パスへの発信が前記電話主装置を介して行われるものである電話装置において、
前記電話機の前記発信ボタンは、該発信ボタンを押下した指の指紋データを検出指紋データとして検出する指紋センサ部としての機能を有し、
前記電話主装置は、予め登録された登録指紋データを記憶する記憶部と、前記検出指紋データを前記登録指紋データに比較する制御部と、前記電話機と前記外部パスとに接続されたスイッチ部とを有し、前記制御部は、前記検出指紋データが前記登録指紋データに一致する場合には、前記スイッチ部に、前記電話機と前記外部パスとを接続させ、前記電話機の前記ダイヤルの押下による前記外部パスへの発信を前記スイッチ部を介して行うことを特徴とする電話装置。
【００１９】
（５）  上記（４）項に記載の電話装置において、
前記制御部は、前記検出指紋データが前記登録指紋データに一致しない場合には、前記電話機にエラー表示を行わせることを特徴とする電話装置。
【００２０】
（６）  上記（５）項に記載の電話装置において、
前記電話機に、エラー表示として、エラーを可視表示または可聴表示させることを特徴とする電話装置。
【００２１】
（７）  外部パスに接続された電話主装置と、該電話主装置に接続された電話機とを有し、前記電話機は、発信ボタンを有し、該発信ボタンを押下した後のダイヤルの押下により前記外部パスへの発信が前記電話主装置を介して行われるものである電話装置において、
前記電話機の前記発信ボタンは、該発信ボタンを押下した指の指紋データを検出指紋データとして検出する指紋センサ部としての機能を有し、
前記電話主装置は、予め登録された登録指紋データと予め登録された発信規制ダイヤルを記憶する記憶部と、前記検出指紋データを前記登録指紋データに比較する制御部と、前記電話機と前記外部パスとに接続されたスイッチ部とを有し、前記制御部は、前記検出指紋データが前記登録指紋データに一致する場合で、しかも、押下された前記ダイヤルが前記発信規制ダイヤルに一致しない場合に、前記スイッチ部に、前記電話機と前記外部パスとを接続させ、前記電話機の前記ダイヤルの押下による前記外部パスへの発信を前記スイッチ部を介して行うことを特徴とする電話装置。
【００２２】
（８）  上記（７）項に記載の電話装置において、
前記制御部は、前記検出指紋データが前記登録指紋データに一致しない場合、及び、前記検出指紋データが前記登録指紋データに一致しても、押下された前記ダイヤルが前記発信規制ダイヤルに一致した場合には、いずれも、前記電話機にエラー表示を行わせることを特徴とする電話装置。
【００２３】
（９）  上記（８）項に記載の電話装置において、
前記電話機に、エラー表示として、エラーを可視表示または可聴表示させることを特徴とする電話装置。
【００２４】
【発明の実施の形態】
次に本発明の実施例について図面を参照して説明する。
【００２５】
図１を参照すると、本発明の第１の実施例による電話装置は、第１乃至第ｍの外線Ｌ１〜Ｌｍに接続された電話主装置１１と、この電話主装置１１に接続された第１乃至第ｍの電話機Ｔ１〜Ｔｍとを有するボタン電話装置である。なお、ｍが２以上の場合が図示されているが、ｍは１でも良い。すなわち、ｍは１以上の整数であれば良い。
【００２６】
電話機Ｔ１〜Ｔｍの各々は、発信ボタン１２を有する。操作者が局線発信するために、電話機Ｔ１〜Ｔｍの各々発信ボタン１２を押下すると、電話機Ｔ１〜Ｔｍの各々の受信機（図示せず）を介して発信音（ダイヤルトーン）が電話機Ｔ１〜Ｔｍの各々の外部に送出される。電話機Ｔ１〜Ｔｍの各々においては、発信ボタン１２を押下した後のダイヤル（テンキー）１３の押下により外線Ｌ１〜Ｌｍのいづれかへの発信が電話主装置１１を介して行われる。
【００２７】
電話機Ｔ１〜Ｔｍの各々の発信ボタン１２は、発信ボタン１２を押下した操作者の指の指紋データを検出し、検出指紋データをデジタルデータとして出力する指紋センサ部１４を発信ボタン１２の裏側に備えている。このため、発信ボタン１４の表面は、透明となっており、押下した指の指紋データを指紋センサ部１４に検出させることを可能としている。
【００２８】
電話主装置１１は、予め登録された登録指紋データを指紋認証記憶部１５に記憶している主記憶部１６を有する。電話主装置１１は、更に、電話機Ｔ１〜Ｔｍに電話機インタフェース部１７を介して接続されると共に主記憶部１６に接続された主制御部１８と、電話機Ｔ１〜Ｔｍに電話機インタフェース部１７を介して接続されると共に外線Ｌ１〜Ｌｍに外線インタフェース部１９を介して接続された通話路スイッチ部２０とを、有する。
【００２９】
主制御部１８は、電話機Ｔ１〜Ｔｍの一つの指紋センサ部１４からの検出指紋データを電話機インタフェース１７を介して受けると、検出指紋データを指紋認証記憶部１５の登録指紋データに比較する。そして、主制御部１８は、検出指紋データが登録指紋データに一致する場合には、通話路スイッチ部２０に、電話機Ｔ１〜Ｔｍの前記一つと外線（外部パス）Ｌ１〜Ｌｍの一つとを接続させ、電話機Ｔ１〜Ｔｍの前記一つのダイヤル１３の押下による外線（外部パス）Ｌ１〜Ｌｍの前記一つへの発信を通話路スイッチ部２０を介して行う。
【００３０】
なお、指紋の登録は電話機Ｔ１〜Ｔｍのいずれかの登録ボタン２１を押すことで開始される。続いて、電話機Ｔ１〜Ｔｍを使用する人の指紋データを電話機Ｔ１〜Ｔｍのいずれかの発信ボタン１２を押すことにより登録する。これにより、指紋データは、電話機Ｔ１〜Ｔｍの指紋センサ部１４から電話機インタフェース部１７−主制御部１８を経由し、主記憶部１６にある指紋認証記憶部１５に記憶される。
【００３１】
図２を参照して、実際の運用では、任意の人が電話機Ｔ１〜Ｔｍのいずれかの発信ボタン１２を押すと、指紋センサ部１４にて検出されたその人の指紋データは、指紋データ登録時と同じ経由で、指紋認証記憶部１５に登録された登録指紋データと一致するか主制御部１８において比較する（ステップＳ１）。未登録の場合、主制御部１８は、エラー処理を行い、押し操作された電話機の表示部（図示せず）にエラーを可視表示させると共に、当該電話機の前述した受信機にエラートーンを送出する（ステップＳ２）。検出された指紋データが登録指紋データと一致した場合、主制御部１８は、次に押されたダイヤルに応答して、通話路スイッチ部２０にダイヤル押下した電話機と外線（外部パス）の一つとを接続し外線発信する（ステップＳ３）。
【００３２】
なお、図１の電話装置（ボタン電話装置）の電話機の一つ（例えば、Ｔ１）に着目すれば、本発明は、発信ボタン１２を有し、発信ボタン１２を押下した後のダイヤル１３の押下により発信が行われる電話機Ｔ１において、発信ボタン１２は、発信ボタン１２を押下した指の指紋データを検出指紋データとして検出する指紋センサ部１４としての機能を有し、検出指紋データが予め登録された登録指紋データに一致する場合には、ダイヤル１３が押下されれば前記発信が行われるが、検出指紋データが登録指紋データに一致しない場合には、ダイヤル１３が押下されても前記発信が行われないように構成されたことを特徴とする電話機としてとらえることができる。この電話機は、上述したように、検出指紋データが登録指紋データに一致しない場合には、エラーを可視表示または可聴表示により行う。
【００３３】
図３を参照すると、本発明の第２の実施例による電話装置（ボタン電話装置）は、以下に述べること以外は、図１の電話装置（ボタン電話装置）と同様である。
【００３４】
すなわち、主記憶部１６は、指紋認証記憶部１５に加えて、発信規制記憶部２２を有する。この発信規制記憶部２２は、予め登録された発信規制ダイヤルを記憶している。
【００３５】
主制御部１８は、電話機Ｔ１〜Ｔｍの一つの発信ボタン１２が押されることによって指紋センサ部１４にて検出された検出指紋データを、電話機インタフェース１７を介して受けると、検出指紋データを指紋認証記憶部１５の登録指紋データに比較する。そして、主制御部１８は、検出指紋データが登録指紋データに一致する場合で、しかも、発信ボタン１２に続いてダイヤル１３が押下されたダイヤル番号（電話番号）が主記憶部１６の発信規制記憶部２２の発信規制ダイヤルに一致しない場合に、通話路スイッチ部２０に、電話機Ｔ１〜Ｔｍの前記一つと外線（外部パス）Ｌ１〜Ｌｍの一つとを接続させ、電話機Ｔ１〜Ｔｍの前記一つのダイヤル１３の押下による外線（外部パス）Ｌ１〜Ｌｍの前記一つへの発信を通話路スイッチ部２０を介して行う。
【００３６】
なお、発信規制ダイヤルの登録は電話機Ｔ１〜Ｔｍの一つの別の登録ボタン２３を押すことで開始される。続いて、電話機Ｔ１〜Ｔｍの前記一つのダイヤル１３を押すことにより発信規制ダイヤルを主記憶部１６の発信規制記憶部２２に登録する。
【００３７】
図４を参照して、実際の運用では、図２と同様に、任意の人が電話機Ｔ１〜Ｔｍのいずれかの発信ボタン１２を押すと、指紋センサ部１４にて検出されたその人の指紋データは、指紋データ登録時と同じ経由で、指紋認証記憶部１５に登録された登録指紋データと一致するか主制御部１８において比較する（ステップＳ１）。未登録の場合、主制御部１８は、エラー処理を行い、押し操作された電話機の表示部（図示せず）にエラーを可視表示させると共に、当該電話機の前述した受信機にエラートーンを送出する（ステップＳ２）。
【００３８】
検出された指紋データが登録指紋データと一致した場合、主制御部１８は、次に押されたダイヤル番号（電話番号）が発信規制ダイヤルか否かを判断する（ステップＳ４）。
【００３９】
ステップＳ４において、押されたダイヤル番号（電話番号）が発信規制ダイヤルではない場合は、主制御部１８は、押されたダイヤル番号（電話番号）に応答して、通話路スイッチ部２０にダイヤル押下した電話機と外線（外部パス）の一つとを接続し外線発信する（ステップＳ３）。
【００４０】
ステップＳ４において、押されたダイヤル番号（電話番号）が発信規制ダイヤルである場合は、主制御部１８は、エラー処理を行い、押し操作された電話機の前記表示部にエラーを可視表示させると共に、当該電話機の前述した受信機にエラートーンを送出する（ステップＳ２）。
【００４１】
図５に示したように、図３の主記憶部１６の発信規制記憶部２２に発信規制クラスを記憶させても良い。
【００４２】
すなわち、図５（Ａ）に示した発信規制クラス０１では、０７０，０８０，０９０が記憶され、０７０，０８０，０９０で始まる携帯端末宛ての外線発信ができないようにしている。
【００４３】
図５（Ｂ）示した発信規制クラス０７では、０１０が記憶され、０１０で始まる国際ダイヤルだけを規制している。
【００４４】
図５（Ｃ）示した発信規制クラス１４では、０が記憶され、０で始まる市街発信、携帯端末宛て発信、国際発信を規制している。
【００４５】
なお、図６に示したように、１１０、１１９を緊急番号として記憶した緊急番号記憶部２４を、図３の主記憶部１６に、破線で示したように、更に設け、主制御部ｋ１８は、指紋認証でエラーになった場合でも続けてダイヤルし緊急番号記憶部２４に格納されている番号と一致した場合、外線発信を許可するようにしても良い。
【００４６】
また、図７に示したように、指紋データ記憶部１５に、指紋データの登録を行ったとき、その指紋データに対応して発信規制クラスとして、図５のクラス番号０１、０７、１４や、あるいは直接０９０などの電話番号の上位所定桁を記憶し、指紋データとして登録されている人であっても、その指紋データに対応して発信規制クラスに規制された番号には、発信できないようにしても良い。
【００４７】
なお、図１及び図３において、発信ボタン１２は、発信をダイヤル（テンキー）１３の“０”キーの押下で行う場合（いわゆる、“０発信”の場合）は、“０”キーである。この場合、“０”キーの裏側に、発信ボタン１２としての“０”キーを押下した操作者の指の指紋データを検出し、検出指紋データをデジタルデータとして出力する指紋センサ部１４を備えれば良い。
【００４８】
【発明の効果】
以上説明したように本発明によれば、発信ボタンに指紋認証機能を付加し、発信時の発信ボタンの押下により指紋認証と発信を行うことができるようにした、スペース効率及び操作性が良い電話機（Ｔ１〜Ｔｍ）を得ることができる。
【００４９】
更に本発明によれば、発信ボタンに指紋認証機能を付加し、発信時の発信ボタンの押下により指紋認証と発信を行うことができるようにした、スペース効率及び操作性が良い電話装置（Ｔ１〜Ｔｍと電話主装置１１とを含む。）を得ることができる。
【００５０】
また、本発明によれば、電話機の発信ボタンに指紋認証機能を付加することにより、どこに置いてある電話機でもパスワード、ＩＤをダイヤルすることなく、使用者毎の発信規制をすることができる。
【図面の簡単な説明】
【図１】本発明の第１の実施例による電話装置（ボタン電話装置）のブロック図である。
【図２】図１の電話装置の（ボタン電話装置）の動作を説明するためのフローチャートである。
【図３】本発明の第２の実施例による電話装置（ボタン電話装置）のブロック図である。
【図４】図３の電話装置の（ボタン電話装置）の動作を説明するためのフローチャートである。
【図５】図３の電話装置の（ボタン電話装置）の発信規制を説明するためのブロック図である。
【図６】図３の電話装置の（ボタン電話装置）の別の発信規制を説明するためのブロック図である。
【図７】図３の電話装置の（ボタン電話装置）の更に別の発信規制を説明するためのブロック図である。
【符号の説明】
Ｌ１〜Ｌｍ    外線
Ｔ１〜Ｔｍ    電話機
１１    電話主装置
１２    発信ボタン
１３    ダイヤル（テンキー）
１４    指紋センサ部
１５    指紋認証記憶部
１６    主記憶部
１７    電話機インタフェース部
１８    主制御部
１９    外線インタフェース部
２０    通話路スイッチ部
２１    登録ボタン
２２    発信規制記憶部
２３    別の登録ボタン
２４    緊急番号記憶部
【図１】
2004328144.tif 000003
【図２】
2004328144.tif 000004
【図３】
2004328144.tif 000005
【図４】
2004328144.tif 000006
【図５】
2004328144.tif 000007
【図６】
2004328144.tif 000008
【図７】
2004328144.tif 000009